(57)【要約】【課題】  光送信する血圧計と左右いずれのトイレ壁面に設けられたの血圧表示パネルの赤外線受信部と少ない電力で血圧計の測定結果を送信して血圧表示パネルに表示させる。【解決手段】  血圧計本体に一体に形成されたカフとを有し被測定人体の手首にカフを装着し血圧値測定をおこなう血圧計と、トイレブースの壁面に取付けられ前記血圧計により測定された血圧値を表示する血圧表示パネルと、を備えたトイレ用血圧計システムであって、前記血圧計本体は、前記測定された血圧値を赤外線信号にて光送信する赤外線送信部と、前記赤外線送信部は前記トイレブースの左及び右方向の両方の壁面に向かって直接送信する発光手段を有し、前記血圧表示パネルは前記壁面に略垂直方向に指向性を有する赤外線受信部と、前記赤外線受信部より受信した血圧値を表示する表示部を有するとともに、前記受信した血圧値を前記表示部に表示する。【選択図】  図３
2009297054.tif 000002
【特許請求の範囲】
【請求項１】
血圧計本体に一体に形成されたカフとを有し被測定人体の手首にカフを装着し血圧値測定をおこなう血圧計と、トイレブースの壁面に取付けられ前記血圧計により測定された血圧値を表示する表示部を有する血圧表示パネルと、を備えたトイレ用血圧計システムであって、前記血圧計本体は、前記測定された血圧値を赤外線信号にて光送信する赤外線送信部と、前記赤外線送信部は前記トイレブースの左及び右方向の両方の壁面に向かって直接送信する発光手段を有し、前記血圧表示パネルは前記壁面に略垂直方向に指向性を有する赤外線受信部とを有するとともに、前記赤外線受信部より受信した血圧値を前記表示部に表示することを特徴とするトイレ用血圧計システム。
【請求項２】
請求項１に記載のトイレ用血圧計システムにおいて、前記血圧計本体は箱形状でありその前方端部側面に赤外線送信部が設けられ、前記血圧計を被測定人体の手首にカフを装着時、被測定人体の手首側に前記前方端部が位置するとともに、前記赤外線送信部は、前記血圧計本体の左及び右方向に向かって光送信するように発光手段を設けたことを特徴とするトイレ用血圧計システム。
【発明の詳細な説明】
【技術分野】
【０００１】
本発明は、トイレ内において被測定人の血圧測定を行う血圧計と、その血圧計より測定された血圧値を送信し、その血圧値を表示するトイレ壁面に設けられた血圧表示パネルとを備えたトイレ用血圧計システムに関する。
【背景技術】
【０００２】
近年の健康志向の高まりに伴い、トイレ内において体重、血圧、体脂肪率などを測定でるようにしたトイレシステムが数多く提案されている。たとえば、血圧計の表示部に測定値を表示する場合、血圧計自体は小さいので多様な表示をすることができなかった。そこで、このようなトイレシステムにおいて、本願と関連する先行技術として、便器の近傍に、出し入れ可能な血圧計が配置されたその測定値を大きな表示パネルに見やすく表示する健康チェックトイレルームがある（例えば、特許文献１参照。）。
【０００３】
この健康チェックトイレルームには、便器の近傍に、血圧計カフを収納可能な引き出しが設けられ、この引き出しは、便器に着座した被測定者の心臓の高さに配置され、被測定者が血圧測定するときに肘を置くことのできる肘置部が設けられている。このような構成とすることにより、安定した姿勢で、正確な血圧測定を行うことができる。
【０００４】
【特許文献１】実開平７−３４９７号公報
【０００５】
特許文献１に記載された健康チェックトイレルームの場合、被測定者は肘置部に肘を置いた安定した楽な姿勢で血圧測定を行うことができるという点では優れている。しかしながら、実際には住宅事情などの各種制約があるため、常に、便器に着座した被測定者の右側に、血圧計カフを収納可能な引き出しやタッチパネルなどを配置できるものではない。
【０００６】
従って、便器の右側、左側に配置して血圧測定できるようにするためには、右側用と左側用とをそれぞれ別々に製作する必要がある。このため、資材点数の増加、生産管理の煩雑化を招いている。そのため、トイレ装置と血圧計と無線通信して、その配線をなくすことで周辺機器とレイアウトの自由度が増加するので市場でも好まれている。
【０００７】
さらに、無線通信では、一般に電波を用いた電波通信を行うことの方が、赤外光で行う赤外線通信に比べて到達範囲を増大でき消費電力も低減することができる。しかし、赤外線通信を利用する方法が、送信データがトイレの壁面にて遮断されるので、トイレルーム外にその測定情報が漏れる可能性も少なくプライバシーの保護の観点から都合がいい。
【０００８】
また、上記のように赤外線通信を利用する機器は、赤外線送信用には赤外線出力用ＬＥＤを用いて通信を行っている。そして、その赤外線通信は光の直進性のために、その血圧計の送信部と壁面の血圧表示パネルの赤外線受信部とは、その赤外線送信部・赤外線受信部の間に遮断する物体の有無や送受信方向の光軸の一致など相対的な位置を考慮する必要が生じる。さらに、血圧表示パネルを左右のどちらの壁面に取り付けられるかは、トイレルームの窓等のレイアウトにより決まりメーカの推奨どうりには、なかなかできないのが現実である。
【発明の開示】
【発明が解決しようとする課題】
【０００９】
このように、赤外線を利用する血圧計を使用する場合、特にトイレ装置システムの場合、標準的な寸法で奥行き（１２３５〜１６９０ｍｍ）×間口（７８０〜１２８０ｍｍ）で、閉じられた空間である。そして、その血圧計から、左右どちらかの壁面に設置された血圧表示パネルに赤外線通信で測定データを送信する場合、その血圧表示パネルの受光部を狙っても、その赤外線の光路を遮ったりしてするものがあると、測定データが伝わらなかったりする場合がある。
【００１０】
また、同じようにトイレルームの衛生洗浄装置の赤外線リモコン送信装置では、赤外線を天井面に向かって送信してその反射を利用して、衛生洗浄装置本体の上面に設けられた赤外線受信部と通信するものもある。この場合は、赤外線受信部を直接に狙わなく反射を前提とするので、反射面での吸収やその光路距離が長くなることでの減衰を考慮しなくては、ならないのでどうしても出力光量を大きくしなければならない。そのためリモコン送信機の消費電力が大きくなっていた。
【００１１】
本発明が解決しようとする課題は、血圧計の測定値を送信時の秘匿性を向上させ、左右いずれかのトイレ壁面に設けられた血圧表示パネルの赤外線受信部と少ない電力で送信し、その血圧計の測定結果を血圧表示パネルに表示させるトイレ用血圧計システムを提供することにある。
【課題を解決するための手段】
【００１２】
請求項１に記載の発明は、血圧計本体に一体に形成されたカフとを有し被測定人体の手首にカフを装着し血圧値測定をおこなう血圧計と、トイレブースの壁面に取付けられ前記血圧計により測定された血圧値を表示する表示部を有する血圧表示パネルと、を備えたトイレ用血圧計システムであって、前記血圧計本体は、前記測定された血圧値を赤外線信号にて光送信する赤外線送信部と、前記赤外線送信部は前記トイレブースの左及び右方向の両方の壁面に向かって直接送信する発光手段を有し、前記血圧表示パネルは前記壁面に略垂直方向に指向性を有する赤外線受信部とを有するとともに、前記赤外線受信部より受信した血圧値を前記表示部に表示することを特徴とする。
その結果、血圧計と血圧表示パネルは赤外線の送信・受信で通信を行うことができ、他のトイレブースまで測定値が到達することがなく秘匿性を向上できる。そして、左又は右方向のいづれかのトイレブースの壁面に設けられた血圧表示パネルの赤外線受信部を、直接狙って送信するので、血圧計は少ない電力で送信できる。
【００１３】
また、請求項２に記載の発明は、請求項１に記載のトイレ用血圧計システムにおいて、前記血圧計本体は箱形状でありその前方端部側面に赤外線送信部が設けられ、前記血圧計を被測定人体の手首にカフを装着時、被測定人体の手首側に前記前方端部が位置するとともに、前記赤外線送信部は、前記血圧計本体の左及び右方向に向かって光送信するように発光手段を設けたことを特徴とする。
その結果、被測定人体の手首側に前記前方端部が位置することで、血圧測定時の被服のそで等が邪魔にならない。その上、発光手段をそれぞれ左及び右方向に向けて設けることで、左右方向へ均一の光の強さで送信することができ、通信性能のばらつきを抑えることができる。
【発明の効果】
【００１４】
本発明によれば、本システムでは、赤外線の光通信なので、他のトイレブースまで到達することがなく秘匿性を向上でき、左又は右方向のトイレの壁面に設けられた血圧表示パネルの赤外線受信部に直接、狙って送信しているので、正確な通信が可能で、血圧計の消費電力を低減できる。
【発明を実施するための最良の形態】
【００１５】
以下、図面に基づいて、本発明の実施の形態について説明する。図１は本発明の実施の形態であるトイレ用血圧計システムを設けたトイレルームを示す図、図２は図１に示すトイレ用血圧計システムを設けたトイレルームの正面図、図３は推奨姿勢図である。、図４はトイレ用血圧計システムのカフを一体で設けた血圧計本体（血圧計ユニット）を示す斜視図なお、以下の説明で用いる「前」、「後」、「左」、「右」という表現は、図１に示すトイレルーム６０内に設置された便器６４に用便姿勢で着座した被測定者を基準にした方向をいう。
【００１６】
図１，図２に示すように、本実施形態のトイレ用血圧計システムは、複数の壁面６１，６２，６３などによって区画されたトイレルーム６０に配置されている。トイレルーム６０内の床面には便器６４が設置され、その右側の壁面６２には、手洗いボウル４５などが配置されている。
【００１７】
トイレルーム６０の後方の壁面６１の下方にはキャビネット６６が配置され、左側の壁面６３には、血圧計を備えたトイレカウンタ１０のほか、手すり１１、便器６４の衛生洗浄装置（図示せず）を操作、制御するためのリモコン１４、血圧表示パネル１７、トイレットペーパーホルダ１３などが配置されている。また、手洗いボウル４５下方の床面には、埋め込み方式の体重計６５が配置されている。ここで、血圧計ユニット１（血圧計）はポータブルで電池で駆動するのでここでは図示されていないが、便器６４に座った状態でこれを使って血圧を測定し、血圧表示パネルに通信して表示させる。
【００１８】
次に、図１〜図５を参照して、トイレ用血圧計システムについて説明する。図２に示すように、血圧計を備えるトイレカウンタ１０は、壁面６３に固定されたカウンタ部材２と、カウンタ部材２の下面に配置された収納スペース６８からなり、そこに血圧計ユニット１を収納できるようになっている。使用者はここから血圧計ユニット１を取り出し、被測定者の左手の手首にカフを装着し血圧値測定をおこなう。なお、測定時は血圧計ユニット１の高さは心臓の位置とほぼ同等の高さで測定する。また、その高さ位置に表示パネル１７が壁面に取り付けられている。これは、通常、衛生洗浄装置などに操作するリモコン装置１４と同じ高さなので、被測定者（使用者）にとっても表示が見やすい位置であり、血圧計ユニット１から床面に略水平に赤外線で血圧計測定データを送るのに高さ位置でもある。
【００１９】
次に、図４は血圧計の斜視図である。測定開始用のスイッチ２３ａおよび測定した血圧値を表示する表示部２３ｂと測定した測定値を血圧表示パネルへ送信する送信部２３ｃとカフ１５を有する血圧計である。カフ１５を除いた部分が血圧計本体であり測定開始用のスイッチ２３ａを押すことでカフ１５へエアを供給し、最高血圧、最低血圧、脈拍を測定し、測定完了と同時に表示部２３ｂに測定値を表示及び血圧計本体２３の左右両方向へ向けて赤外線送信部２３ｃから測定値を赤外線通信により送信する動作を行う。赤外線送信部２３ｃは血圧計本体２３の上部に設けられ、左右両方向の外部へ送信するように赤外線ＬＥＤ３１が配置され、赤外線送信部の外郭は赤外線透過させる黒色のＡＢＳ樹脂で構成されている。
【００２０】
また、図３に戻るが、血圧計を使用して血圧を測定する際の推奨姿勢図である。ここでは図示されていないが、洋式便器に用便姿勢で着座した被測定者は収納スペースから血圧計ユニット１を取り出し、カフ２５を手首に装着する。そして、血圧計本体に配置されているスイッチ２３ａを押すと、血圧計本体２３ 内からカフ２５へエアが供給される。この後は従来の血圧計と同様、自動的に最高血圧、最低血圧および脈拍が測定され、それらの測定値が表示部２３ｂに表示されるため、被測定者は目視確認することができる。さらに、これらの測定値は測定完了と同時に赤外線通信により他の機器、血圧表示パネル１７（血圧測定値表示、赤外線受信、記憶装置などを行う）へ送信することができる。そして、血圧表示パネル１７に測定された血圧データが蓄積でき、その値を統計的手法（計時的なグラフ表示等）でさせる。そうすることで、大きな表示画面で、過去の測定値の経過情報も表示できるので使用者にとって便利である。
【００２１】
図５は図４に示した血圧計ユニット１の正面図である。赤外線送信部２３ｃはその上部に設けられ、矢印は赤外線ＬＥＤの取り付け位置である。赤外線ＬＥＤ３１は、矢印の方向へ向かって設けられ赤外光を外部に向かって投光する。赤外線送信部２３ｃは赤外線のみ透過する黒いＡＢＳ樹脂で構成されている。この赤外線送信部２３ｃは被測定者の着用している服の袖などで投光を遮断されにくいように被測定者の手首に近い方に設けられている。また、血圧計ユニット１自体にも簡易的な表示部があり、血圧値を数値表示できる。
【００２２】
ここで、赤外線ＬＥＤの消費電流は、通常のトイレのリモコンでは約１Ａ程度であるが、今回のように直接壁の赤外線受信部を狙うことにしたので、０．５Ａ程度に低減ができている。
このように血圧測定が終わると、スイッチ２３ａを押して電源をＯＦＦする。そして、被測定者はカフ２５を手首から外して収納スペースに収納することで一連の測定動作が完了となる。
【００２３】
ここで、血圧表示パネルが配置されている壁の位置と正確な血圧値を測定できる推奨姿勢時の血圧計ユニット１の位置から赤外線送信部２３ｃは血圧計ユニット１の左右両方向の壁面へ配置されているため、用便姿勢から血圧計ユニット１を収納スペースから取り出して推奨姿勢での測定、及び測定値の表示と血圧測定値表示パネルへの送信を行い、再び収納スペースに戻す動作において被測定者は余計な動作なく血圧計の装着と１回の測定開始スイッチを押す動作のみで血圧の測定、表示及び血圧表示パネルへ測定値を送信することができる。
【００２４】
図６（ａ）は、血圧表示パネル１７を示す。正面の右上に赤外線受信部１８が設けられている。ここで、赤外線の受光面は血圧表示パネル１７が取り付けられた壁面に垂直方向に向いている。その結果、図３で示したように、被測定者が推奨姿勢の状態で測定を行う場合、血圧計ユニット１と被測定者の心臓と血圧表示パネルの高さ方向の位置は略一致するように設定されていて、血圧計ユニット１から直接に赤外線送信信号を受けるように工夫されている。
【００２５】
さらに、図６（ｂ）では、血圧表示パネル１７は血圧計ユニット１の画面の一例を示す。その血圧の測定値表示、保存、過去測定値のグラフ表示及び過去の測定値を含めた解析、加工をした折れ線グラフ表示を行い、被測定者にとって測定結果が経時的に把握することができる。
【００２６】
また血圧計ユニット１の送信部２３ｃは左右両方向へ向けて送信されることにより、便器６４に着座した被測定者の右側、左側のいずれに配置された血圧表示パネル１７とも通信することができる。
【００２７】
図７に血圧計本体のブロック図を示す。ここで、ワンチップのＣＰＵ７０ですべてをコントロールするが、スイッチ検出部７４でスイッチの操作有無を判断し、開始操作があれば、血圧測定部７５にカフの加圧等の指示を行う。そして、測定されたデータより血圧検出演算制御部で血圧値を演算する。そして、その値を表示部２３ｃ７３にて表示する。そして、また、その測定値は、送信部７２より血圧表示パネル１７に向けて赤外線信号を送信する。
【００２８】
図８は血圧計での血圧測定する一連の動作をフロー図としたものである。測定を行うには血圧計を手首に装着し、推奨姿勢をとって測定スイッチを押す。（Ｓ１）
次に、血圧計ユニット１は開始スイッチを押されたかどうかチェックする。（Ｓ２）
開始スイッチが押されていれば、血圧計はカフへエアーを送り込み最高血圧、最低血圧、脈拍の測定を行う。（Ｓ３）
そして、血圧測定が完了すると血圧計ユニット１がその測定値が正常終了かどうかを判断する。（Ｓ４）
そして不正値であればエラーデータを送信部から送信する。（Ｓ７）
また、測定値が正常値であればその測定値を血圧表示パネル１７に送信する。
そして血圧表示パネル１７は、上記、Ｓ５、Ｓ７によって得られた受信データを表示する。（Ｓ６）こうして、一連の、血圧の測定及びその血圧表示を行う。
【産業上の利用可能性】
【００２９】
本発明のトイレ用血圧計システムは、一般住宅のトイレ内などに設置して広く利用することができる。
【図面の簡単な説明】
【００３０】
【図１】本発明の実施の形態であるトイレ用血圧計システムを設けたトイレルームを示す図である。
【図２】本発明のトイレ用血圧計システムに用いるトイレカウンタの正面図である。
【図３】本発明のトイレ用血圧計システムの血圧計表示部と血圧計の位置関係を示す図である。
【図４】本発明の血圧計を示す図である。
【図５】本発明の血圧計本体の赤外線送信手段の発光手段の送信方向を示す図図である。
【図６】本発明の血圧表示パネルに設けられた赤外線受信部の受信方向を示す図である。
【図７】本発明の血圧計の制御ブロック図をを示す。
【図８】本発明のトイレ用血圧計システムでの血圧測定のフロー図である。
【符号の説明】
【００３１】
１  血圧計ユニット
２  カウンタ部材
１０  血圧計を備えるトイレカウンタ
１１  手すり
１２  血圧測定部
１３  トイレットペーパーホルダ
１４  リモコン
２３  血圧計本体
２３ａ  スイッチ
２３ｂ  表示部
２３ｃ  測定値送信部
１５  カフ
１７  血圧表示パネル
１８  赤外線受信部
３１  赤外線ＬＥＤ
４５  手洗いボウル
６０  トイレルーム
６１，６２，６３  壁面
６４  便器
６５  体重計
６６  キャビネット
６８  収納スペース
７０  ＣＰＵ
７１  血圧検出演算制御部
７２  赤外線送信部
７３  測定値表示部
７４  スイッチ検出部
７５  血圧測定部
【図１】
2009297054.tif 000003
【図２】
2009297054.tif 000004
【図３】
2009297054.tif 000005
【図４】
2009297054.tif 000006
【図７】
2009297054.tif 000007
【図８】
2009297054.tif 000008
【図５】
2009297054.tif 000009
【図６】
2009297054.tif 000010